(57)【要約】【課題】ペット動物の排泄物を手で直接的、間接的に触ることなく回収具を介して簡単に回収できるとともに、運搬時には回収具と排泄物を収容するケースとを一体的にまとめて片手で簡単に持ち運ぶことができるペット動物の排泄物処理具を提供する。【解決手段】中空内部にペット動物の排泄物を収容する収容部１８が形成され、該収容部１８を横方向に開放させた開口２０を有するケース１２と、ケース１２に取付けられる把手部１４と、掃き入れ部６６を含み排泄物をケース１２の収容部１８内に掃き入れ操作する回収具であって、該掃き入れ部６６によりケース１２の開口２０を閉鎖するように該ケース１２に対して着脱自在に連結される回収具１６と、を有することを特徴とするペット動物の排泄物処理具１０から構成される。【選択図】図１
0003136944.tif 000002
【実用新案登録請求の範囲】
【請求項１】
中空内部にペット動物の排泄物を収容する収容部が形成され、該収容部を横方向に開放させた開口を有するケースと、
ケースに取付けられる把手部と、
掃き入れ部を含み排泄物をケースの収容部内に掃き入れ操作する回収具であって、該掃き入れ部によりケースの開口を閉鎖するように該ケースに対して着脱自在に連結される回収具と、を有することを特徴とするペット動物の排泄物処理具。
【請求項２】
把手部は、掃き入れ操作時に該把手部からケースを下方に離間させるように伸長されるとともに、運搬時には把手部をケースに近接させるように収縮される伸縮機構を含み、
回収具は、掃き入れ操作時には掃き入れ部の操作部分となりケースの開口位置に掃き入れ部を遠隔配置させるように伸長されるとともに、運搬時には収縮される伸縮柄部を備えることを特徴とする請求項１記載のペット動物の排泄物処理具。
【請求項３】
回収具とケースにはそれぞれ磁力吸着要素が取り付けられ、互いの磁力吸着要素により回収具の掃き入れ部がケースの開口を閉鎖する位置に配置されるように磁力吸着、離脱自在に連結されることを特徴とする請求項１又は２記載のペット動物の排泄物処理具。
【請求項４】
ケースは長手方向の両端側を開口する横長中空筒体からなり、
中空筒体の中空内部空間は、長手方向中間位置に縦に仕切りが設けられて横並びに並置されるように分割されており、
一端側の空間を排泄物の収容部としつつ、
他の空間を道具類を収容する道具類収容部とし、該道具類収容部の開口には開閉自在に閉鎖する開閉蓋を設けたことを特徴とする請求項１ないし３のいずれかに記載のペット動物の排泄物処理具。
【請求項５】
回収具の掃き入れ部には、交換シートが着脱自在に貼付される請求項１ないし４のいずれかに記載のペット動物の排泄物処理具。
【請求項６】
ケースには、ケースの開口を覆うように袋口部側を開きつつ袋底部側を収容部内に挿入させて装着される袋体の袋口部側を係止して、袋口部を開口させておく袋口係止部が設けられた請求項１ないし５のいずれかに記載のペット動物の排泄物処理具。
【考案の詳細な説明】
【技術分野】
【０００１】
本考案は、例えば、路上や公園等で犬等のペット動物が排泄した排泄物を回収処理するペット動物の排泄物処理具に関する。
【背景技術】
【０００２】
犬等のペットを路上や公園等で散歩させている最中にペット動物が排泄した糞は、そのまま放置しておくと不衛生で、通行人が踏んだり、景観を悪化させたり、悪臭や害虫の発生等を招くおそれがある。近時では、ペット動物の糞害は社会的にも大きな問題になっており、条例等の法規或いは社会的な常識等により、飼い主が回収する責任を負っている。従来、ペットの糞を回収する際には、例えば、犬等の散歩の際に飼い主はビニル袋を携行し、ビニル袋を裏返して中に手を入れビニル袋で包むように手でペットの糞を掴んだまま該ビニル袋を表返してその内部に収容する方法や、スコップ等で糞をすくい取ってビニル袋に入れる方法が一般的であった。
【０００３】
従来のビニル袋を裏返して糞を回収する方法では、１回のみしか排泄物の処理を行えないが、犬は散歩中に数回、排泄する場合があるため複数の袋を携帯する必要がある。これに対して、例えば特許文献１には、１つの回収袋で複数回、糞を回収処理できる回収袋が提案されている。特許文献１の回収袋は、開口部を有する外装袋と、開口部近傍に一体的に固定されるとともに外装袋に出し入れ可能な内装袋と、を備えている。ペットの糞を回収する際には、内装袋を外装袋の外側に取り出し、内装袋に手を差し入れて、内装袋で糞を包むように掴んだ状態で、糞及び内装袋を外装袋内に入れて手を取り出すことで、糞を外装袋内に収納させるものであった。
【特許文献１】特開２００７−１６７０１９号公報
【考案の開示】
【考案が解決しようとする課題】
【０００４】
しかしながら、特許文献１や従来のように内装袋やビニル袋等の中に手を入れて糞を掴み取る方法では、袋を介すとはいえ糞を掴む際に手に感触が伝わるので不快に感じ、このような糞処理方法を敬遠する人が多かった。一方、スコップ等で糞を掬い取る方法では、糞を収容するビニル袋とは別にスコップ等が必要であるので携行する道具点数が多くなるが、少なくとも片手は犬等のペットを繋いだ綱を持つため、もう一方の片手だけで回収袋とスコップ等の複数の道具を持たざるを得ず、持ち運ぶのには不便であった。また、特許文献１や従来の袋で掴む方法及びスコップ等で取る方法のいずれの場合でも、しゃがんだ状態で糞の処理を行うため、不安定で窮屈な姿勢での作業となり面倒なものであった。また、そのようなしゃがんでペットの糞処理する姿を他人に見られるのを恥ずかしく感じる者もいた。上述のような糞処理の際の不快感や不便さ、煩雑さ等により、糞の回収処理を怠るものが多く、糞害が解消しない問題があった。
【０００５】
本考案は、上記従来の課題に鑑みてなされたものであり、その一つの目的は、ペット動物の排泄物を手で直接的、間接的に触ることなく回収具を介して簡単に回収できるとともに、運搬時には回収具と排泄物を収容するケースとを一体的にまとめて片手で簡単に持ち運ぶことができるペット動物の排泄物処理具を提供することにある。また、他の目的は、処理者がしゃがむことなく比較的楽な姿勢でペットの排泄物を処理できるペット動物の排泄物処理具を提供することにある。
【課題を解決するための手段】
【０００６】
上記課題を解決するために本考案は、中空内部にペット動物の排泄物Ｗを収容する収容部１８が形成され、該収容部１８を横方向に開放させた開口２０を有するケース１２と、ケース１２に取付けられる把手部１４と、掃き入れ部６６を含み排泄物Ｗをケース１２の収容部１８内に掃き入れ操作する回収具であって、該掃き入れ部６６によりケース１２の開口２０を閉鎖するように該ケース１２に対して着脱自在に連結される回収具１６と、を有することを特徴とするペット動物の排泄物処理具１０から構成される。ケースの外側は種々の色、柄や模様等を施して意匠感を向上させることができる。収容部１８内には、直接排泄物を入れてもよいが、袋体等を内装すると、収容部内の汚れを防止し、袋体を交換するだけで簡単に排泄物を処理でき衛生的である。
【０００７】
また、把手部１４は、掃き入れ操作時に該把手部１４からケース１２を下方に離間させるように伸長されるとともに、運搬時には把手部１４をケース１２に近接させるように収縮される伸縮機構５２を含み、回収具１６は、掃き入れ操作時には掃き入れ部６６の操作部分となりケース１２の開口２０位置に掃き入れ部６６を遠隔配置させるように伸長されるとともに、運搬時には収縮される伸縮柄部（６８）を備えることとしてもよい。伸縮機構５２及び伸縮柄部（６８）は、伸縮させた際にその伸長長さ、収縮長さで保持される。
【０００８】
また、回収具１６とケース１２にはそれぞれ磁力吸着要素（７２、７４）が取り付けられ、互いの磁力吸着要素（７２、７４）により回収具１６の掃き入れ部６６がケース１２の開口２０を閉鎖する位置に配置されるように磁力吸着、離脱自在に連結されることとしてもよい。磁力吸着要素（７２、７４）の取付位置は、回収具がケース１２の開口２０を閉鎖する位置で磁力吸着される位置であれば任意でよい。
【０００９】
また、ケース１２は長手方向の両端側を開口する横長中空筒体からなり、中空筒体の中空内部空間は、長手方向中間位置に縦に仕切り２８が設けられて横並びに並置されるように分割されており、一端側の空間を排泄物の収容部１８としつつ、他の空間を道具類を収容する道具類収容部３０とし、該道具類収容部３０の開口２８には開閉自在に閉鎖する開閉蓋４４を設けたこととしてもよい。
【００１０】
また、回収具１６の掃き入れ部６６には、交換シート７６が着脱自在に貼付されることとしてもよい。
【００１１】
また、ケース１２には、ケース１２の開口２０を覆うように袋口部３４１側を開きつつ袋底部３４２側を収容部１８内に挿入させて装着される袋体３４の袋口部３４１側を係止して、袋口部３４１を開口させておく袋口係止部３８が設けられたこととしてもよい。
【考案の効果】
【００１２】
本考案のペット動物の排泄物処理具によれば、中空内部にペット動物の排泄物を収容する収容部が形成され、該収容部を横方向に開放させた開口を有するケースと、ケースに取付けられる把手部と、掃き入れ部を含み排泄物をケースの収容部内に掃き入れ操作する回収具であって、該掃き入れ部によりケースの開口を閉鎖するように該ケースに対して着脱自在に連結される回収具と、を有することから、ペット動物の排泄物を回収具を介して、手で直接的、間接的に触ることなく、簡単かつ衛生的に回収できるとともに、運搬時には、回収具をケースと一体的にまとめた状態として持ち運ぶことができ、例えば、一方の片手で犬等のペット動物に繋がれた綱をもった状態でも、他方の片手だけで処理具を簡単に持ち運ぶことができ、携帯するに便利である。さらに、回収具がケースの開口を閉鎖するので、収容した排泄物が落ちるのを防ぐことができるとともに、排泄物処理時には回収具をケースから離脱させるだけで掃き入れ開口が開口されてスムーズに排泄物処理操作を行える。また、ケースの外観に意匠を施すこともでき、単にビニル袋等を持ち歩くよりも見た目が良く、他人の目が気になりにくく、かつ他人に不快感を与えることもなく持ち運びできる。
【００１３】
また、把手部は、掃き入れ操作時に該把手部からケースを下方に離間させるように伸長されるとともに、運搬時には把手部をケースに近接させるように収縮される伸縮機構を含み、回収具は、掃き入れ操作時には掃き入れ部の操作部分となりケースの開口位置に掃き入れ部を遠隔配置させるように伸長されるとともに、運搬時には収縮される伸縮柄部を備える構成とすることにより、排泄物を処理する際には、把手部の伸縮機構及び回収具の伸縮柄部を伸長させて、しゃがむことなく楽な姿勢で手軽に地面上等のペット動物の排泄物を処理することができる。さらに、運搬時には、把手部及び回収具の伸縮柄部を収縮させてコンパクトにした状態で邪魔になることなく手軽に持ち運ぶことができる。
【００１４】
また、回収具とケースにはそれぞれ磁力吸着要素が取り付けられ、互いの磁力吸着要素により回収具の掃き入れ部がケースの開口を閉鎖する位置に配置されるように磁力吸着、離脱自在に連結される構成とすることにより、簡単な構造で構成できるとともに、磁力吸着作用によって簡単に回収具をケースに対して連結、離脱することができ、使い勝手が良い。
【００１５】
また、ケースは長手方向の両端側を開口する横長中空筒体からなり、中空筒体の中空内部空間は、長手方向中間位置に縦に仕切りが設けられて横並びに並置されるように分割されており、一端側の空間を排泄物の収容部としつつ、他の空間を道具類を収容する道具類収容部とし、該道具類収容部の開口には開閉自在に閉鎖する開閉蓋を設けたことから、例えば、予備の袋体やティッシュペーパー等の回収具の他の道具類を道具類収容部内に収容して、排泄物処理に必要な複数の道具類をまとめて効率よく持ち運びできる。さらに、限られたケースの内部空間を効率良いスペース取りして、それぞれの収容部を比較的大きく確保できる。
【００１６】
また、回収具の掃き入れ部には、交換シートが着脱自在に貼付される構成とすることにより、回収具のペット動物の排泄物に触れる部分を交換シートで保護して、汚れた際には単に交換シートを取り替えるだけでよいので、回収具をいちいち洗うことなく、常に衛生的に使用できる。
【００１７】
また、ケースには、ケースの開口を覆うように袋口部側を開きつつ袋底部側を収容部内に挿入させて装着される袋体の袋口部側を係止して、袋口部を開口させておく袋口係止部が設けられた構成とすることにより、収容部の汚れを防止するように配置される取り換え自在な袋体の袋口部を開いた状態を保持し、排泄物を掃き入れ操作する際に不意に袋口部が閉じるのを防止して、確実に袋体内に収容させることができる。
【考案を実施するための最良の形態】
【００１８】
以下、添付図面を参照しつつ本考案のペット動物の排泄物処理具の実施の形態について説明する。本考案のペット動物の排泄物処理具は、ケースと、回収具と、を有しており、例えば、犬等のペット動物が路上や公園等で排泄した際に、排泄物に手を触れることなく回収具を介してケース内に排泄物を回収処理するものであり、回収具とケースとを一体的にまとめて持ち運ぶことができる。図１ないし図６は、本考案のペット動物の排泄物処理具の実施形態を示している。図１、図２に示すように、本実施形態に係るペット動物の排泄物処理具１０は、ケース１２と、ケース１２に取付けられる把手部１４と、ケース１２に着脱自在に連結される回収具１６と、を有する。
【００１９】
図１、図２に示すように、ケース１２は、中空ケース体からなり、中空内部にペット動物の排泄物を収容する収容部１８が形成される。ケース１２は、長手方向の一端側には掃き入れ開口２０が設けられており、掃き入れ開口２０により該収容部１８を横方向に開放させて、収容部内外を連通している。さらに詳細には、図３、図５にも示すように、ケース１２は、例えば、横長矩形平板状の底壁２２と、底壁の対向両側縁から円弧状に側壁と天壁を形成して内部空間を覆うように設けられた円弧壁２４と、を含む横長中空筒体からなる。また、ケース１２は、端面視で扇形の弦に相当する部分に底壁２２が、扇形の円弧に相当する部分に円弧壁２４が形成され、長手軸を横方向とした横長中空の略弓形筒体ともいえる。底壁２２は、底面を平らにしておりケース全体を地面等に安定的に置くことができる。円弧壁２４は、天蓋２４１と両側壁２４２との３つの円弧形状壁材で構成され、天蓋２４１が円弧壁２４の天壁側の一部を開閉自在とするように設けられている。天壁２４１は、その直線状の長辺のうち一方の辺部側を対応する側壁の上端側辺部に蝶番等の枢支部２６を介して枢支連結されている。なお、ケース１２は、端面視３角形、４角形、その他の多角形、半円形、逆Ｕ字形状等の中空筒体、その他任意形状の中空ケース体でもよい。ケース１２は、長手方向の両端側を開口（２０、３２）して内部空間を対向両側で横方向に開放している。ケース１２の両端開口側には補強フレーム２７が円弧壁内壁に沿って固定されている。図５に示すように、ケース１２の中空内部の長手方向中間位置には、縦に仕切り２８が設けられており、ケース１２の中空内部空間は横並び並置されるように分割される。その一端側（図５上、左側）の空間をペット動物の排泄物の収容部１８とし、他方（図５上、右側）の空間を後述するような道具類を収容する道具類収容部３０としている。よって、一端側（図５上、左側）の収容部１８に連通する開口は掃き入れ開口２０となり、他端側（図５上、右側）の道具類収容部３０に連通する開口は道具類の出し入れ開口３２となる。さらに、本実施形態では、ケース１２の中空内部は上下にも分割されており、収容部１８と道具収容部３０の上方にわたる上部側の横長空間には、トング３５を収容するトング収容部３６が区画形成されている。
【００２０】
本実施形態では、図２、図５に示すように、収容部１８内部には、排泄物を収容させる例えばポリエチレン等のビニル袋からなる袋体３４が交換自在に内装される。よって、袋体３４を取り外して排泄物を簡単に捨てることができるとともに、ケース１２内部を排泄物で汚すことなく袋体３４を交換しながら常時衛生的に使用できる。袋体３４は、ケースの掃き入れ開口２０を覆うように袋口部３４１側を開きつつ、袋底部３４２側を収容部１８内部に挿入させて装着される。ケース１２には、袋体３４の袋口部３４１側を係止して、袋口部を開口させておく袋口係止部３８が設けられている。袋口係止部３８は、例えば、円弧壁の外側面で掃き入れ開口２０寄り位置に固定された複数の（本実施形態では２個の）Ｌ字状金具からなる。Ｌ字状金具は円弧壁から径方向外向きに突出されて掃き入れ開口とは逆の出し入れ開口側に向けて直角Ｌ字状に曲折されており、袋口部３４１を着脱自在に係止する。これにより、簡便に袋口部の開いた状態を保持でき、排泄物を収容部へ掃き入れ操作する際に袋体が不意に閉じるのを防止して、確実に袋体内部へ排泄物を収容させ得る。なお、袋体３４の袋内部には、例えば、必要に応じてハサミやシュレッダー等で裁断した廃紙材４０が収容されており、袋体を収容部から離脱して捨てる際に外部から見えにくくできるとともに、排泄物の臭いをある程度防ぐのに期待できる。収容部１８の底壁２２の少なくとも掃き入れ開口２０の縁部側には、薄肉厚の鉄板７４等からなる磁力吸着部材が張設されており、後述のように回収具１６との磁力吸着による連結機構７０を構成している。
【００２１】
図５に示すように、道具類収容部３０は、例えば、予備の袋体３４Ａ、廃紙材４０Ａ、ティッシュペーパー又はトイレットペーパー等の紙類４２、後述の交換シート７６Ａ等の回収具１６以外の排泄物処理に必要な道具類を収容する。なお、図５上の道具類収容部３０内では予備の袋体３４Ａ、廃紙材４０Ａ、交換シート７６Ａ、紙類４２は概略して図示している。道具類収容部３０の出し入れ開口３２には、該開口形状と略同じ大きさ形状の開閉蓋４４が設けられており、該開閉蓋４４により出し入れ開口３２は開閉自在に閉鎖される。本実施形態では、開閉蓋４４は、下辺縁部を道具類収容部３０の底壁２２側に枢支部４６を介して枢支連結して開閉自在に設けられている。開閉蓋４４の外壁面側には開操作用の摘み４８が設けられている。開閉蓋４４の内壁の上縁部側には、磁石５０が固定されており、ケース内部の上部側に設けられたトング収容部３６の端壁３６ａ外面に張設される鉄板等に磁力吸着して閉鎖される。
【００２２】
トング収容部３６は、例えば、ペット動物の排泄物が回収具１６で掃き入れしにくい軟便等の用いられるトング３５を収容できる収容部であり、本実施形態では、ケース１２の中空内部の上部側にその長手方向に沿って、円弧壁２４の天蓋２４１に対応する天蓋直下位置に設けられている。トング収容部３６は、断面半円弧状の中空収容空間からなり、該天蓋２４１によって上方側を開閉するように開口し、長手方向両端側を端壁３６ａで閉鎖している。すなわち、トング収容部３６のトング３５出し入れ用開口は、上方側に開放しており、円弧壁２４の天壁部となる天蓋２４１により開閉自在に閉鎖される。このように本実施形態では、回収具１６以外のトング３５や予備の袋体３４Ａ等の他の道具類をケース１２内にひとまとめに収納して簡単に持ち運ぶことができ、必要に応じて取り出して円滑に使用できる。
【００２３】
図１、図２、図３に示すように、本実施形態では、把手部１４は、伸縮機構５２を含み、伸縮機構５２を介してケース１２の長手方向略中央位置の上方側に一体的に取り付けられている。把手部１４は、伸縮機構５２による伸長、収縮により、ケース１２の上方側に対して近接離間自在になっている。これにより、例えば、ケース１２を運搬する際には、図１に示すように、伸縮機構５２を収縮させてケース１２と把手部１４とを近接させて、コンパクトな状態で持ち運ぶことができる。一方、排泄物を処理する際には、図２に示すように、伸縮機構５２を伸長させて、把手部１４の手で掴んだ部分からケース１２を下方に離間させて、しゃがむことなくケース１２の掃き入れ開口２０を地面上の排泄物近傍に遠隔配置させることができる。把手部１４は、例えば、略コ字状に杆部材を組み付けて構成されており、対向する２つの杆部材を伸縮機構５２を構成する伸縮杆部材５４として縦に立てて配置させ、それらの上端側に手で把持できるように横方向に架設された把持杆部材５６が取り付けられ、該把持杆部材５６がケース１２に対して上下方向に近接離間自在になっている。伸縮杆部材５４は、例えば、径の異なるパイプ部材を出し入れ自在に複数挿嵌させた多段式伸縮パイプで構成されており、下方の基管部分５４ａを円弧壁２４を貫通させつつ底壁２２上に立設して固定されている。なお、本実施形態では、運搬時等に把手部１４を手で持った際に、不意に伸縮機構５２が伸長するのを防止する、すなわち収縮状態を補助的に保持する収縮保持構造が設けられている。収縮保持構造は、例えば、ケース１２の円弧壁２４の伸縮杆部材の貫通位置近傍に一端を固定し他端側にリング部材５８が固定された索条６０と、把持杆部材５６の両端側に設けられたくびれ部６２と、を含む。索条６０の長さは、例えば、伸縮杆部材５４を収縮させた際の円弧壁２４の貫通位置から把持杆部材５６までの距離と略同じか若干長い程度に設定されており、ケース１２を持ち運ぶ際には、くびれ部６２にリング部材５８を係止させることで、索条６０により伸縮機構５２の伸長が規制される。排泄物の処理等で把手部１４を伸長させる際には、リング部材５８を把持杆部材５６のくびれ部６２から離脱させるだけで自在に伸長することができる。なお、６４は、伸縮杆部材を伸縮操作する際にリング部材５８を邪魔にならないように係止させておくフック部材であり、伸縮杆部材の横に取り付けられている。なお、収縮保持構造は、例えば、パイプ部材に１つまたは複数の孔にピンを挿脱させる構成や、孔に爪やピン等をバネ等で進退自在に付勢するようにしたラッチ機構等やその他の構成でもよい。
【００２４】
図１、図２、図４、図６に示すように、回収具１６は、ペット動物が地面上に排泄した排泄物Ｗを収容部１８内に掃き入れる回収具であり、回収具１６により、手で直接的、或いは袋等で間接的に排泄物に触れることなくケースの掃き入れ開口２０を介して収容部１８へ簡単に収容することができる。本実施形態では、回収具１６は、板状に広がった掃き入れ部６６と、手で握って操作部分となる操作柄部６８と、が一体的に組み付けられている。本実施形態では、回収具１６は、ケース１２の掃き入れ開口２０に連結機構７０を介して着脱自在に連結されるとともに、連結した際にその掃き入れ部６６がケースの掃き入れ開口２０の一部又は全部を閉鎖するようになっている。これにより、運搬時には、回収具１６をケース１２と一体的にまとめた状態として片手だけで簡単に持ち運ぶことができ、もう一方の手で犬等のペットに繋がれた綱を握ることができる。さらに、掃き入れ部が掃き入れ開口２０を閉鎖するので、収容した排泄物が落ちるのを防ぐ。また、排泄物を処理する際には、回収具１６を離脱させるだけで、掃き入れ開口２０が開口されるので、スムーズに処理を行える。掃き入れ部６６は、本実施形態では、例えば、下辺側が広く上辺側にむけて徐々に狭くなるように設けられた板状部材からなる。操作柄部６８は、例えば、径の異なるパイプ部材を出し入れ自在に複数挿嵌させた多段式伸縮パイプで構成される伸縮柄部からなる。これにより、運搬時には、操作柄部６８を収縮したコンパクトな状態とできる。そして、排泄物を処理する際には、操作柄部６８を伸長し、上記のように伸長された把手部１４により把手部１４から遠隔配置されたケース１２の掃き入れ開口２０位置に対応して、掃き入れ部６６を遠隔配置させた状態で、しゃがむことなく楽な姿勢でペット動物の排泄物を処理できる。図６に示すように、掃き入れ部６６内部の下縁側には、磁石７２等の磁力吸着部材が埋設されており、該掃き入れ部６６を掃き入れ開口を閉鎖するように配置させた際にケース１２の掃き入れ開口２０側に設けられた鉄板７４に磁力吸着して着脱自在に連結される。すなわち、連結機構７０は、掃き入れ部６６の磁石７２等の磁力吸着要素と、ケース側の鉄板７４等の磁力吸着要素と、を含み、相互の磁力吸着作用により簡単に着脱できる。なお、連結機構７０は、磁力吸着により連結する構成に限らず、例えば、上下に長いコ字状のレールをケースの開口２０両側に対向させて立設配置し、板状の掃き入れ部６６をコ字状のレールの上方からスライドさせて連結させる構成等、その他任意の簡単に回収具１６をケース１２に対して着脱できる連結構成でよい。
【００２５】
本実施形態では、図２、図６に示すように、回収具１６の掃き入れ部６６には、例えば、紙製の交換シート７６が着脱自在に貼付されており、掃き入れ操作する際に交換シート７６が排泄物と直接接触する部分となっている。排泄物で汚れた際には、つまみ７６１から図６上、二点鎖線に示すように交換シート７６を離脱し、新しい交換シート７６を貼付して常に回収具１６を衛生的に使用できる。交換シート７６の掃き入れ部６６に貼付される裏面側は粘着面となっており、簡単に貼付、離脱できる。
【００２６】
例えば、犬等の散歩させる際に、本実施形態に係るペット動物の排泄物処理具１０を携行する場合には、図１に示すように、操作柄部６８を収縮させた状態で回収具１６をケース１２の掃き入れ開口２０を閉鎖するようにケース１２に連結させておくとともに、ケースの把手部１２を収縮させておく。また、トング３５をトング収容部３６に、予備の袋体３０、紙類４２等を道具類収容部３０にそれぞれ収容しておく。ケース１２に回収具１６、及びその他の道具類等を一体的にコンパクトな状態でまとめておくことができるので、片手で犬を繋いだ綱を握りつつ、もう一方の片手だけで簡単に持ち運びできる。犬が路上等で排泄した排泄物Ｗを処理する際には、図２に示すように、把手部１４を伸長してケース１２を下方に地面上に離隔配置させると同時に、回収具１６をケース１２から離脱させておき、それに対応して操作柄部６８を伸長させて掃き入れ部６６をケース１２の掃き入れ開口２０の近傍に離隔配置させる。これにより、しゃがむことなく比較的楽な姿勢で回収具１６を操作しながら、掃き入れ開口２０を介してケース収容部１８の袋体３４内に排泄物Ｗを収容できる。例えば、排泄物が軟便のように掃き入れしにくい場合には、必要に応じて、トング３５とティッシュ等の紙類をケース１２の収容部から取り出し、排泄物にティッシュを被せてトング３５で掴みとり、収容部１８の袋体３４内に収容できる。処理を終えた後には、再び、把手部１４をケース１２に近接させるように収縮させるとともに、回収具１６の操作柄部６８を収縮し、回収具１６をケースの掃き入れ開口２０を閉鎖するように一体的に連結させて、持ち運ばれる。１回の散歩で複数回ペットが排泄した場合には、同様の操作で排泄物を処理できる。例えば、帰宅後には、ケースの収容部１８から袋体３４を取り出して廃棄し、新しい袋体３４を収容部１８に装着する。また、回収具１６から汚れた交換シート７６を離脱し、新しい交換シートを貼付する。
【００２７】
以上説明した本考案のペット動物の排泄物処理具は、上記した実施形態のみの構成に限定されるものではなく、実用新案登録請求の範囲に記載した本考案の本質を逸脱しない範囲において、任意の改変を行ってもよい。
【産業上の利用可能性】
【００２８】
本考案のペット動物の排泄物処理具は、例えば、路上や公園、庭等の屋外に携行して、ペット動物の排泄物を処理するのに適用される。
【図面の簡単な説明】
【００２９】
【図１】本考案の実施形態に係るペット動物の排泄物処理具の斜視図である。
【図２】図１のペット動物の排泄物処理具の回収具を分離した状態及び作用説明図である。
【図３】回収具を分離した状態でケースを収容部側から見た図及び把手部の伸縮作用説明図である。
【図４】回収具の正面図及び伸縮作用説明図である。
【図５】ケースのＡ−Ａ線断面図及び作用説明図である。
【図６】回収具のＢ−Ｂ線断面図及び作用説明図である。
【符号の説明】
【００３０】
１０    ペット動物の排泄物処理装置
１２    ケース
１４    把手部
１６    回収具
１８    収容部
２０    掃き入れ開口
２６    道具類収容部
２８    出し入れ開口
３４    袋体
３６    袋口係止部
４２    交換シート
４４    開閉蓋
５２    伸縮機構
６６    掃き入れ部
６８    操作柄部
７６    交換シート
Ｗ    排泄物
【図１】
0003136944.tif 000003
【図２】
0003136944.tif 000004
【図３】
0003136944.tif 000005
【図４】
0003136944.tif 000006
【図５】
0003136944.tif 000007
【図６】
0003136944.tif 000008